(57)【要約】【課題】  複合式ディスクドライブ装置の提供。【解決手段】  光学装置、保存媒体入出力装置及びハードディスクを同一ケース中に整合させ、光学装置、保存媒体入出力装置及びハードディスクを一つの箱体内に取り付け、且つ該箱体に別に入出力ポートと電源ポートを設けて該光学装置、保存媒体入出力装置、及びハードディスクの信号及び電源をホスト側に接続できるようにし、これにより使用者によるデータの保存及び運用に極めて良好な便利性を提供する。【選択図】        図１
0003103631.tif 000002
【実用新案登録請求の範囲】
【請求項１】
複合式ディスクドライブ装置であり、箱体、光学装置、保存媒体入出力装置及びハードディスクを具え、該光学装置、保存媒体入出力装置及びハードディスクが共に該箱体内に取り付けられ、且つ該箱体に入出力ポートと電源ポートが設けられて該光学装置、保存媒体入出力装置及びハードディスクの信号及び電源をホスト側に接続するよう形成されたことを特徴とする、複合式ディスクドライブ装置。
【請求項２】
請求項１記載の複合式ディスクドライブ装置において、箱体の入出力ポート及び電源ポートがＵＳＢハブ或いはその他の規格の外接式通信ポートとして整合されたことを特徴とする、複合式ディスクドライブ装置。
【請求項３】
複合式ディスクドライブ装置であり、箱体、光学装置、保存媒体入出力装置及びハードディスクを具え、
該箱体の前端にパネルがあり、且つ該箱体底部の前端部分及び後端部分に前カバーと後ろカバーが形成され、該箱体が入出力ポートと電源ポートを具えて該光学装置、保存媒体入出力装置及びハードディスクの信号及び電源をホスト側に接続し、
該光学装置は直接該箱体のパネルに形成された開口より挿入されて該箱体内部上半部に取り付けられ、且つ該光学装置の操作パネルが該箱体のパネルより露出し、
該保存媒体入出力装置は該箱体前端の前カバーに被覆された内部に取り付けられ、該保存媒体入出力装置のスロットが箱体のパネルの上部に形成された開口より露出し、
該ハードディスクは該箱体中に取り付けられ、並びに該箱体内の下半部に位置することを特徴とする、複合式ディスクドライブ装置。
【請求項４】
請求項３記載の複合式ディスクドライブ装置において、後ろカバーが箱体底部に係合されて該箱体を速やかに開閉可能であることを特徴とする、複合式ディスクドライブ装置。
【請求項５】
請求項３記載の複合式ディスクドライブ装置において、箱体の入出力ポート及び電源ポートがＵＳＢハブ或いはその他の規格の外接式通信ポートとして整合されたことを特徴とする、複合式ディスクドライブ装置。
【請求項６】
請求項３記載の複合式ディスクドライブ装置において、箱体の入出力ポート及び電源ポートがＵＳＢハブ或いはＩＥＥＥ１３９４ハブその他の規格の外接式通信ポートとして整合され、外接装置との接続用の少なくとも一つのソケットが該ハブより該箱体のパネルに延伸されたことを特徴とする、複合式ディスクドライブ装置。
【請求項７】
複合式ディスクドライブ装置であり、箱体、光学装置、保存媒体入出力装置及びハードディスクを具え、
該箱体の前端にパネルがあり、且つ該箱体上部の前端部分及び後端部分に前上カバーと後ろ上カバーが形成され、該後ろ上カバーが折り畳み式とされ、該箱体が該光学装置、保存媒体入出力装置及びハードディスクに接続された入出力ポートと電源ポートを具え、
該光学装置は直接該箱体のパネルに形成された開口より挿入されて該箱体内部下半部に取り付けられ、且つ該光学装置の操作パネルが該箱体のパネルより露出し、
該保存媒体入出力装置は該箱体上端の前上カバーに被覆された内部に取り付けられ、該保存媒体入出力装置のスロットが箱体のパネルの上部に形成された開口より露出し、
該ハードディスクは該箱体中に取り付けら、並びに該箱体内の下半部に固定されたことを特徴とする、複合式ディスクドライブ装置。
【請求項８】
請求項７記載の複合式ディスクドライブ装置において、後ろ上カバーが箱体上部に係合されて並びに箱体に速やかに着脱可能とされたことを特徴とする、複合式ディスクドライブ装置。
【請求項９】
請求項７記載の複合式ディスクドライブ装置において、箱体の入出力ポート及び電源ポートがＵＳＢハブ或いはその他の規格の外接式通信ポートとして整合されたことを特徴とする、複合式ディスクドライブ装置。
【請求項１０】
請求項７記載の複合式ディスクドライブ装置において、箱体の入出力ポート及び電源ポートがＵＳＢハブ或いはＩＥＥＥ１３９４ハブその他の規格の外接式通信ポートとして整合され、外接装置との接続用の少なくとも一つのソケットが該ハブより該箱体のパネルに延伸されたことを特徴とする、複合式ディスクドライブ装置。
【考案の詳細な説明】
【技術分野】
【０００１】
本考案は一種の複合式ディスクドライブ装置に係り、特に箱体に光学装置、保存媒体入出力装置及びハードディスクを共に取り付けられ、外接式あるいは嵌め込み式で使用される複合式ディスクドライブ装置に関する。
【背景技術】
【０００２】
周知のディスクドライブ装置は、ディスクよりデータを読み取ったり或いはデータをディスクに記録する装置である。一般にディスクドライブ装置は嵌め込み式と外接式の二種類に分けられ、嵌め込み式のディスクドライブ装置は直接ノートブック型コンピュータ、或いはパーソナルコンピュータに取り付けられ、外接式ディスクドライブ装置はＵＳＢインタフェースのような特殊な伝送インタフェースを介して外接式にノートブック型コンピュータやパーソナルコンピュータと接続して使用される。且つこのようなディスクドライブ装置は通常単一種類のディスクしか読み書きできない。
【０００３】
数多くのデジタル装置、例えばデジタルカメラ、ＰＤＡ、ノートブック型コンピュータ等の使用率が増し、ＳＭカード、ＳＤカード、ＣＦＣカード、ＰＣＭＣＩＡカード、ＭＭＣカード、ＭＳカード等のメモリカードの使用率も高くなった。しかし、一般にノートブック型コンピュータ或いはパーソナルコンピュータにおいてこのようなメモリカードのカードリーダーが標準配備されている訳ではなく、且つ周知のディスクドライブ装置中にもこのような機能はない。さらにポータブルハードディスク装置は現在データ量がますます増加する傾向の下、及びディスクドライブ装置のデータのバックアップ用としても、市場の要求が非常に高い。ゆえに、現在コンピュータ製品に対する要求が日増しに増加している状況にあって、ハードディスク装置にメモリカードカードリーダーを一体に設けたものは未だ市場にはないが、このような装置に対する要求は非常に大きいといえる。これにより、本考案は周知のハードディスク装置の不足の点及びそれに対する要求に応えるものである。
【考案の開示】
【考案が解決しようとする課題】
【０００４】
本考案は一種の複合式ディスクドライブ装置を提供し、周知の技術の制限と欠点を解決することを課題としている。
【０００５】
本考案の複合式ディスクドライブ装置は、光学装置、保存媒体入出力装置及びハードディスクを一体に設けたものである。そのうち、各保存装置は一つの箱体中に取り付けられ、該箱体は該光学装置及び保存媒体入出力装置が組み合わされるパネルを具え、且つ該ハードディスクは該箱体内に内蔵される。これにより、本考案の複合式ディスクドライブ装置はＣＤに対する読み書き、メモリカードに対する読み取り及びハードディスクデータとのアクセスの機能を具えている。さらに該箱体はデータ伝送の入出力ポートと電源を供給する電源ポートを具え、且つ該入出力ポート及び該電源ポートが整合されてＵＳＢハブ或いはその他の規格の外接式通信ポートを形成し、これを以て、外接式複合式ディスクドライブ装置とされている。
【課題を解決するための手段】
【０００６】
請求項１の考案は、複合式ディスクドライブ装置であり、箱体、光学装置、保存媒体入出力装置及びハードディスクを具え、該光学装置、保存媒体入出力装置及びハードディスクが共に該箱体内に取り付けられ、且つ該箱体に入出力ポートと電源ポートが設けられて該光学装置、保存媒体入出力装置及びハードディスクの信号及び電源をホスト側に接続するよう形成されたことを特徴とする、複合式ディスクドライブ装置としている。
請求項２の考案は、請求項１記載の複合式ディスクドライブ装置において、箱体の入出力ポート及び電源ポートがＵＳＢハブ或いはその他の規格の外接式通信ポートとして整合されたことを特徴とする、複合式ディスクドライブ装置としている。
請求項３の考案は、複合式ディスクドライブ装置であり、箱体、光学装置、保存媒体入出力装置及びハードディスクを具え、
該箱体の前端にパネルがあり、且つ該箱体底部の前端部分及び後端部分に前カバーと後ろカバーが形成され、該箱体が入出力ポートと電源ポートを具えて該光学装置、保存媒体入出力装置及びハードディスクの信号及び電源をホスト側に接続し、
該光学装置は直接該箱体のパネルに形成された開口より挿入されて該箱体内部上半部に取り付けられ、且つ該光学装置の操作パネルが該箱体のパネルより露出し、
該保存媒体入出力装置は該箱体前端の前カバーに被覆された内部に取り付けられ、該保存媒体入出力装置のスロットが箱体のパネルの上部に形成された開口より露出し、
該ハードディスクは該箱体中に取り付けられ、並びに該箱体内の下半部に位置することを特徴とする、複合式ディスクドライブ装置としている。
請求項４の考案は、請求項３記載の複合式ディスクドライブ装置において、後ろカバーが箱体底部に係合されて該箱体を速やかに開閉可能であることを特徴とする、複合式ディスクドライブ装置としている。
請求項５の考案は、請求項３記載の複合式ディスクドライブ装置において、箱体の入出力ポート及び電源ポートがＵＳＢハブ或いはその他の規格の外接式通信ポートとして整合されたことを特徴とする、複合式ディスクドライブ装置としている。
請求項６の考案は、請求項３記載の複合式ディスクドライブ装置において、箱体の入出力ポート及び電源ポートがＵＳＢハブ或いはＩＥＥＥ１３９４ハブその他の規格の外接式通信ポートとして整合され、外接装置との接続用の少なくとも一つのソケットが該ハブより該箱体のパネルに延伸されたことを特徴とする、複合式ディスクドライブ装置としている。
請求項７の考案は、複合式ディスクドライブ装置であり、箱体、光学装置、保存媒体入出力装置及びハードディスクを具え、
該箱体の前端にパネルがあり、且つ該箱体上部の前端部分及び後端部分に前上カバーと後ろ上カバーが形成され、該後ろ上カバーが折り畳み式とされ、該箱体が該光学装置、保存媒体入出力装置及びハードディスクに接続された入出力ポートと電源ポートを具え、
該光学装置は直接該箱体のパネルに形成された開口より挿入されて該箱体内部下半部に取り付けられ、且つ該光学装置の操作パネルが該箱体のパネルより露出し、
該保存媒体入出力装置は該箱体上端の前上カバーに被覆された内部に取り付けられ、該保存媒体入出力装置のスロットが箱体のパネルの上部に形成された開口より露出し、
該ハードディスクは該箱体中に取り付けら、並びに該箱体内の下半部に固定されたことを特徴とする、複合式ディスクドライブ装置としている。
請求項８の考案は、請求項７記載の複合式ディスクドライブ装置において、後ろ上カバーが箱体上部に係合されて並びに箱体に速やかに着脱可能とされたことを特徴とする、複合式ディスクドライブ装置としている。
請求項９の考案は、請求項７記載の複合式ディスクドライブ装置において、箱体の入出力ポート及び電源ポートがＵＳＢハブ或いはその他の規格の外接式通信ポートとして整合されたことを特徴とする、複合式ディスクドライブ装置としている。
請求項１０の考案は、請求項７記載の複合式ディスクドライブ装置において、箱体の入出力ポート及び電源ポートがＵＳＢハブ或いはＩＥＥＥ１３９４ハブその他の規格の外接式通信ポートとして整合され、外接装置との接続用の少なくとも一つのソケットが該ハブより該箱体のパネルに延伸されたことを特徴とする、複合式ディスクドライブ装置としている。
【考案の効果】
【０００７】
本考案の複合式ディスクドライブ装置は以下のような効果を達成する。
１．本考案の複合式ディスクドライブ装置は、光学装置、保存媒体入出力装置、及びハードディスクが一体に整合されている。
２．本考案の複合式ディスクドライブ装置は外接式データ伝送インタフェース、例えばＵＳＢインタフェースを具え、これにより、この複合式ディスクドライブ装置を外接方式でノートブック型コンピュータ或いはパーソナルコンピュータに外接方式で接続して使用できる。
３．本考案の複合式ディスクドライブ装置の箱体中にはＵＳＢハブ或いはＩＥＥＥ１３９４ハブが設けられ、複合式ディスクドライブ装置の各装置に接続され、且つ該ハブはまた該箱体のパネルまで延伸されたソケットを具えて外接装置の使用に供する。
４．本考案の複合式ディスクドライブ装置は光学装置、保存媒体入出力装置、及びハードディスクの箱体内の空間位置に多様な選択を有し、それぞれのメーカーの要求に対応することができる。
【考案を実施するための最良の形態】
【０００８】
本考案の複合式ディスクドライブ装置は光学装置、保存媒体入出力装置、及びハードディスクが同一機体内に整合され、即ち一つの箱体内部に上述の三つの部品が設置されるが、設置の空間形態は変化が可能である。以下に二種類の主要な形態について説明する。
【０００９】
図１及び図２は本発明の複合式ディスクドライブ装置の第１実施例である。それは少なくとも箱体１、光学装置２、保存媒体入出力装置３及びハードディスク４を具え、これは第１種の形態とされ、即ち該光学装置２が箱体１内の上半部に設置され、該ハードディスク４は下半部に設置されている。
【００１０】
図２は本考案の複合式ディスクドライブ装置の倒置後の分解図であり、上下位置は実際と反対方向とされ、説明に便利なように如何に図２の上下方位を以て説明する。該箱体１は前端にパネル１１が形成された中空箱状構造であり、該パネル１１に複数の開口が設けられ、且つ該箱体１の上部の前端部分及び後端部分にそれぞれ前カバー１２と後ろカバー１３が形成され、該後ろカバー１３は枢軸１４で該箱体１上部後端に枢設され、該後ろカバー１３は該枢軸１４により開放可能とされ、並びに該箱体１の内部を露出させることができる。
【００１１】
該光学装置２は記録済みのＣＤを読み取ることができ、前述の箱体１のパネル１１の底部に形成された開口が該光学装置２に組み合わされて、該光学装置２が直接該パネル１１より挿入され該箱体１底部に設置され、且つ該光学装置２の操作パネル２１は開口より露出している。
【００１２】
該保存媒体入出力装置３はメモリカード入力／読み取り装置であり、その規格は、ＳＭカード、ＳＤカード、ＣＦカード、ＰＣＭＣＩＡカード、ＭＭＣカード及びＭＳカードを含み、且つ保存媒体入出力装置３は箱体１前端の前カバー１２で被覆された内部に設置され、該箱体１のパネル１１上部に複数のスロット３１が形成され、該スロット３１の数は設計者が保存媒体入出力装置３に組み合わせる異なるメモリカード入力／読み取り規格の数により形成される。
【００１３】
該ハードディスク４は、保存装置であり、且つ該ハードディスク４は該箱体１中に取り付けられ、並びに該後ろカバー１３の内表面に固定される。これにより、該後ろカバー１３が開放される時、該ハードディスク４は該後ろカバー１３と共に該箱体１内部より離脱する。
【００１４】
前述の箱体１の後ろカバー１３の前縁及び該前カバー１２の後縁に係合構造が設けられ、これにより、後ろカバー１３が閉じられるとき、その前縁が該前カバー１２の後縁と係合する。該後ろカバー１３を開く時は、該係合構造の係合を解除すれば、該後ろカバー１３を前カバー１２後縁より離脱させることができる。
【００１５】
前述の箱体１内部後端に複数の入出力ポート１５、複数の電源ポート１６及びファン１７が設けられている。そのうち、各入出力ポート１５は該光学装置２、保存媒体入出力装置３及びハードディスク４と接続され、並びにホスト側に接続し、各装置とホスト側の信号を接続する。各電源ポート１６は該光学装置２、保存媒体入出力装置３及びハードディスク４に接続され、並びにホスト側に接続され、該ホスト側に電源を各装置に提供する。該ファン１７は該箱体１の冷却に使用される。
【００１６】
さらに、本考案の複合式ディスクドライブ装置は、該入出力ポート１５及び電源ポート１６がＵＳＢハブ或いはその他の規格の外接式通信ポートに整合されうる。これにより本考案の複合式ディスクドライブ装置は外接式保存装置を形成しうる。
【００１７】
前述の入出力ポート１５及び電源ポート１６が整合されてなるハブはＵＳＢ或いはＩＥＥＥ１３９４伝送インタフェースを具備し得て、且つ該ハブは箱体１のパネル１１に延伸された少なくとも一つのソケット１８を具え、これによりＵＳＢ或いはＩＥＥＥ１３９４伝送インタフェースを具えた外接式装置、例えばデジタルカメラ、ＰＤＡ、録音ペン、プリンタ、スキャナとの接続を可能とする。
【００１８】
図３、４は本考案のもう一つの実施例の立体組合せ図及び立体分解図である。これは本考案の第２種の形態であり、それは箱体５、光学装置２、保存媒体入出力装置３及びハードディスク４で構成されている。その形態の異なるところは、該ハードディスク４が箱体５内の上半部に設置され、該光学装置４が下半部に設置されているところである。ゆえに該箱体５の構造は図１の箱体１の形状とやや異なるが、その他の部品及び運用方式はいずれも同じである。
【００１９】
図４に示されるように、該箱体５の前端にはパネル５１があり、上部の前端部及び後端部にそれぞれ前上カバー５２及び後ろ上カバー５３が形成され、該後ろ上カバー５３は折り畳み式とされ、該箱体５の後端内部両側に金属のサポートフレーム５４が設けられ、該ハードディスク４がそれに螺子止めされて、懸垂状に箱体５内の上半部に設置される。金属のサポートフレーム５４はハードディスク４の放熱を補助するためアルミ材料で形成されるのが好ましい。該後ろ上カバー５３と箱体５の間には係合機構が設けられ、使用者が速やかに箱体５より後ろ上カバー５３を取り外してハードディスク４を着脱することができる。
【００２０】
該光学装置２は直接箱体５のパネル５１に形成された開口より挿入され、箱体５内の下半部に取り付けられ、且つ該光学装置２の操作パネル２１は箱体５のパネルより露出する。該保存媒体入出力装置３は該箱体５の上端の前上カバー５２に被覆された内部に取り付けられ、且つ該保存媒体入出力装置３中のスロット３１は箱体のパネル上部に形成された開口より露出している。
【００２１】
その他の構造例えば複数の入出力ポート、複数の電源ポート、及びファン等は図１の実施例と同じ方式で箱体５の後端内部に取り付けられ、各部品を順調に運転させる。
【００２２】
以上をまとめると、本考案の複合式ディスクドライブ装置は光学装置２、保存媒体入出力装置３及びハードディスク４が同一の箱体内に整合させられ、使用者によるデータの保存及び運用に便利なものとされ、製造者はまた図１、３に示されるように、光学装置２を箱体の上半部或いは下半部に設置する設計とすることができ、これにより購入側の要求を満足させ、さらに速やかに取り外せる後ろ上カバー１３、５３により使用者がハードディスク４を着脱したり或いは内部部品の検査、修理を行なうのに便利とされ、製品の使用上、さらに便利とされている。
【００２３】
以上の実施例は本考案の実施範囲を限定するものではなく、本考案に基づきなしうる細部の修飾或いは改変は、いずれも本考案の請求範囲に属するものとする。
【図面の簡単な説明】
【００２４】
【図１】本考案の第１実施例の立体組合せ図である。
【図２】本考案の第１実施例の倒置後の分解図である。
【図３】本考案の第２実施例の立体組合せ図である。
【図４】本考案の第２実施例の立体分解図である。
【符号の説明】
【００２５】
１  箱体
１１  パネル                    １２  前カバー
１３  後ろカバー                  １４  枢軸
１５  入出力ポート                １６  電源ポート
１７  ファン                      １８  ソケット
２  光学装置
２１  操作パネル
３  保存媒体入出力装置
３１  スロット
４  ハードディスク
５  箱体
５１  パネル
５２  前上カバー
５３  後ろ上カバー
５４  サポートフレーム
【図１】
0003103631.tif 000003
【図２】
0003103631.tif 000004
【図３】
0003103631.tif 000005
【図４】
0003103631.tif 000006